(57)【要約】  複数のオペレータ又は複数の通信システムが共用する特定周波数帯において運用される基地局（ｅＮＢ２００−１）は、当該基地局に接続する無線端末（ＵＥ１００−１）に干渉を与える干渉源（ＵＥ１００−２）による干渉信号の送信を停止させるための所定信号の送信を要求する送信要求情報を、特定周波数帯において運用される他の基地局（ｅＮＢ２００−２）に送信する。
2017026406.tif 000002
【特許請求の範囲】
【請求項１】
複数のオペレータ又は複数の通信システムが共用する特定周波数帯において運用される基地局であって、
前記基地局又は前記基地局に接続する無線端末に干渉を与える干渉源による干渉信号の送信を停止させるための所定信号の送信を要求する送信要求情報を、前記特定周波数帯において運用される他の基地局に送信する制御部を備える基地局。
【請求項２】
前記特定周波数帯は、前記特定周波数帯を用いて無線信号を送信する前に前記特定周波数帯が空きであるか否か判定するよう義務付けられた周波数帯であり、
前記所定信号は、前記特定周波数帯が使用中であると前記干渉源に判定させるための無線信号である請求項１に記載の基地局。
【請求項３】
前記干渉源は、前記基地局のオペレータとは異なるオペレータの装置、及び前記基地局の通信システムとは異なる通信システムの装置のうち、少なくとも一方を含み、
前記他の基地局は、前記基地局と同じオペレータの基地局である請求項１に記載の基地局。
【請求項４】
前記制御部は、前記無線端末及び前記他の基地局から得られる情報に基づいて、前記送信要求情報を前記他の基地局に送信する請求項１に記載の基地局。
【請求項５】
前記制御部は、前記他の基地局が検出した前記干渉信号に関する干渉関連情報を前記他の基地局から受信し、前記干渉関連情報に基づいて前記送信要求情報を前記他の基地局に送信する請求項４に記載の基地局。
【請求項６】
前記制御部は、前記無線端末が検出した前記干渉信号に関する干渉関連情報を前記無線端末から受信し、前記干渉関連情報に基づいて前記送信要求情報を前記他の基地局に送信する請求項４に記載の基地局。
【請求項７】
前記干渉関連情報は、前記干渉信号の検出タイミング、前記干渉信号に適用されている信号パラメータ、前記干渉信号に含まれる情報のうち、少なくとも１つを含むことを特徴とする請求項５に記載の基地局。
【請求項８】
前記制御部は、前記所定信号の送信停止を要求する停止要求情報を前記他の基地局に送信する請求項１に記載の基地局。
【請求項９】
複数のオペレータ又は複数の通信システムが共用する特定周波数帯において運用される基地局であって、
他の基地局又は前記他の基地局に接続する無線端末に干渉を与える干渉源による干渉信号の送信を停止させるために、所定信号を送信する制御部を備える基地局。
【請求項１０】
前記制御部は、前記他の基地局から前記所定信号の送信を要求する要求情報を受信した場合に、前記所定信号を送信する請求項９に記載の基地局。
【請求項１１】
複数のオペレータ又は複数の通信システムが共用する特定周波数帯において運用される基地局に接続する無線端末であって、
前記特定周波数帯において前記無線端末が検出した干渉信号に関する干渉関連情報を前記基地局に送信する制御部を備える無線端末。
【発明の詳細な説明】
【技術分野】
【０００１】
本発明は、特定周波数帯を用いて無線通信を行う基地局及び無線端末に関する。
【背景技術】
【０００２】
近年、移動通信システムにおいて、急増するトラフィック需要に応えるべく、複数のオペレータ及び／又は複数の通信システムが共用する特定周波数帯を無線通信に用いるための検討がなされている（例えば、非特許文献１参照）。特定周波数帯は、例えば、免許が不要な周波数帯（アンライセンスドバンド）である。【０００３】
このような特定周波数帯を用いて無線通信を行う基地局及び無線端末は、他のオペレータ及び／又は他の通信システムとの干渉を回避するために、ｌｉｓｔｅｎ−ｂｅｆｏｒｅ−ｔａｌｋ（ＬＢＴ）と称される空きチャネル判定処理を行うことが要求される。【０００４】
ＬＢＴは、特定周波数帯内の対象チャネルが空いているか否かを受信信号強度（干渉電力）に基づいて判定し、空きチャネルであると判定された場合に限り対象チャネルを使用する手順である。
【先行技術文献】
【非特許文献】
【０００５】
【非特許文献１】３ＧＰＰ技術報告書  「ＴＲ  ３６．８８９  V１３．０．０」  ２０１５年６月
【発明の概要】
【０００６】
一つの実施形態に係る基地局は、複数のオペレータ又は複数の通信システムが共用する特定周波数帯において運用される。前記基地局は、前記基地局又は前記基地局に接続する無線端末に干渉を与える干渉源による干渉信号の送信を停止させるための所定信号の送信を要求する要求情報を、前記特定周波数帯において運用される他の基地局に送信する処理を行う制御部を備える。
【図面の簡単な説明】
【０００７】
【図１】ＬＴＥシステムの構成を示す図である。
【図２】ＬＴＥシステムにおける無線インターフェイスのプロトコルスタック図である。
【図３】ＬＴＥシステムで使用される無線フレームの構成図である。
【図４】ＬＢＥ方式のＬＢＴの一例を示すフロー図である。
【図５】ＬＡＡを説明するための図である。
【図６】ＵＥ（無線端末）のブロック図である。
【図７】ｅＮＢ（基地局）のブロック図である。
【図８】実施形態に係る動作環境を示す図である。
【図９】実施形態に係る動作を示すシーケンス図である。
【発明を実施するための形態】
【０００８】
［実施形態の概要］
実施形態に係る基地局は、複数のオペレータ又は複数の通信システムが共用する特定周波数帯において運用される。前記基地局は、前記基地局又は前記基地局に接続する無線端末に干渉を与える干渉源による干渉信号の送信を停止させるための所定信号の送信を要求する要求情報を、前記特定周波数帯において運用される他の基地局に送信する処理を行う制御部を備える。
【０００９】
実施形態において、前記特定周波数帯は、前記特定周波数帯を用いて無線信号を送信する前に前記特定周波数帯が空きであるか否か判定するよう義務付けられた周波数帯である。前記所定信号は、前記特定周波数帯が使用中であると前記干渉源に判定させるための無線信号である。
【００１０】
実施形態において、前記干渉源は、前記基地局のオペレータとは異なるオペレータの装置、及び前記基地局の通信システムとは異なる通信システムの装置のうち、少なくとも一方を含む。前記他の基地局は、前記基地局と同じオペレータの基地局である。
【００１１】
実施形態において、前記制御部は、前記無線端末及び前記他の基地局から得られる情報に基づいて、前記送信要求情報を前記他の基地局に送信する。
【００１２】
実施形態において、前記制御部は、前記他の基地局が検出した前記干渉信号に関する干渉関連情報を前記他の基地局から受信し、前記干渉関連情報に基づいて前記送信要求情報を前記他の基地局に送信する。
【００１３】
実施形態において、前記制御部は、前記無線端末が検出した前記干渉信号に関する干渉関連情報を前記無線端末から受信し、前記干渉関連情報に基づいて前記送信要求情報を前記他の基地局に送信する。
【００１４】
実施形態において、前記干渉関連情報は、前記干渉信号の検出タイミング、前記干渉信号に適用されている信号パラメータ、前記干渉信号に含まれる情報のうち、少なくとも１つを含む。
【００１５】
実施形態において、前記制御部は、前記所定信号の送信停止を要求する停止要求情報を前記他の基地局に送信する処理を行う。
【００１６】
実施形態に係る基地局は、複数のオペレータ又は複数の通信システムが共用する特定周波数帯において運用される。前記基地局は、他の基地局又は前記他の基地局に接続する無線端末に干渉を与える干渉源による干渉信号の送信を停止させるために、所定信号を送信する処理を行う制御部を備える。
【００１７】
前記制御部は、前記他の基地局から前記所定信号の送信を要求する要求情報を受信した場合に、前記所定信号を送信してもよい。
【００１８】
実施形態に係る無線端末は、複数のオペレータ又は複数の通信システムが共用する特定周波数帯において運用される基地局に接続する。前記無線端末は、前記特定周波数帯において前記無線端末が検出した干渉信号に関する干渉関連情報を前記基地局に送信する処理を行う制御部を備える。
【００１９】
［実施形態］
（システム構成）
以下において、実施形態に係る移動通信システムであるＬＴＥシステムについて説明する。図１は、ＬＴＥシステムの構成を示す図である。
【００２０】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２１】
ＵＥ１００は、無線端末に相当する。ＵＥ１００は、移動型の通信装置であり、ｅＮＢ２００との無線通信を行う。ＵＥ１００の構成については後述する。
【００２２】
Ｅ−ＵＴＲＡＮ１０は、無線アクセスネットワークに相当する。Ｅ−ＵＴＲＡＮ１０は、ｅＮＢ（ｅｖｏｌｖｅｄ  Ｎｏｄｅ−Ｂ）２００を含む。ｅＮＢ２００は、基地局に相当する。ｅＮＢ２００は、Ｘ２インターフェイスを介して相互に接続される。ｅＮＢ２００の構成については後述する。
【００２３】
ｅＮＢ２００は、１又は複数のセルを管理しており、自セルに接続したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００２４】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００２５】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００２８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２９】
ＰＤＣＰ層は、ヘッダ圧縮・伸張、及び暗号化・復号化を行う。
【００３０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３２】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３３】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３４】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。各サブフレームには、時間方向及び周波数方向に分散して参照信号が配置される。
【００３５】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００３６】
（特定周波数帯）
以下において、特定周波数帯について説明する。
【００３７】
現状のＬＴＥシステムにおいて、ＵＥ１００及びｅＮＢ２００は、一のオペレータ及び一の通信システムが占有する周波数帯（割り当てバンド）を用いて無線通信を行うことが一般的である。
【００３８】
これに対し、実施形態において、ＵＥ１００及びｅＮＢ２００は、特定周波数帯を用いて無線通信を行う。特定周波数帯は、免許が不要な周波数帯（アンライセンスドバンド）である。或いは、特定周波数帯は、免許が必要な周波数帯（ライセンスドバンド）であって複数のオペレータ及び／又は複数の通信システムが共用する周波数帯であってもよい。また、特定周波数帯は、特定周波数帯を用いて無線信号を送信する前に特定周波数帯が空きであるか否か判定するよう義務付けられた周波数帯である。以下においては、特定周波数帯がアンライセンスドバンドである一例について説明する。
【００３９】
このようなアンライセンスドバンドを用いて無線通信を行うＵＥ１００及びｅＮＢ２００は、他のオペレータ及び／又は他の通信システム（例えば、ＷＬＡＮシステム）との干渉を回避するために、ＬＢＴと称される空きチャネル判定処理を行うことが要求される。ＬＢＴは、アンライセンスドバンド内の対象チャネルが空いているか否かを受信信号強度（干渉電力）に基づいて判定し、空きチャネル（ｃｌｅａｒ  ｃｈａｎｎｅｌ）であると判定された場合に限り対象チャネルを使用する手順である。
【００４０】
ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない。
【００４１】
図４は、ＬＢＥ方式のＬＢＴの一例を示すフロー図である。ＵＥ１００及びｅＮＢ２００は、アンライセンスドバンド内の対象チャネルについて本フローを実行する。ここでは、ｅＮＢ２００が本フローを実行する一例を説明する。
【００４２】
図４に示すように、ｅＮＢ２００は、対象チャネルを監視し、受信信号強度（干渉電力）に基づいて対象チャネルが空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ｅＮＢ２００は、検知した電力が閾値よりも大きい状態が一定期間（例えば２０μｓ以上）持続する場合、対象チャネルが使用中（Ｂｕｓｙ）であると判定する。そうでない場合、ｅＮＢ２００は、対象チャネルが空き（Ｉｄｌｅ）であると判定し、対象チャネルを用いてＵＥ１００に下りリンクデータを送信する（ステップＳ２）。
【００４３】
ｅＮＢ２００は、このような初期ＣＣＡの結果、対象チャネルが使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ｅＮＢ２００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ｅＮＢ２００は、Ｎが０に達すると（ステップＳ４：Ｎｏ）、対象チャネルが空き（Ｉｄｌｅ）であると判定し、対象チャネルを用いて無線信号を送信する（ステップＳ２）。
【００４４】
（ＬＡＡ）
実施形態に係るＬＴＥシステムは、オペレータに免許が付与されたライセンスドバンドだけではなく、免許が不要なアンライセンスドバンドも無線端末（ＬＴＥ通信）に使用可能である。例えば、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【００４５】
図５は、ＬＡＡを説明するための図である。図５に示すように、ｅＮＢ２００は、ライセンスドバンドにおいて運用されるセル＃１と、アンライセンスドバンドにおいて運用されるセル＃２と、を管理している。図５において、セル＃１がマクロセルであり、セル＃２が小セルである一例を図示しているが、セルサイズはこれに限定されない。
【００４６】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。図５の例では、ＵＥ１００は、上りリンク通信及び下りリンク通信をセル＃１と行い、上りリンク通信及び下りリンク通信をセル＃２と行う。ＵＥ１００は、セル＃２と下りリンク通信のみを行なってもよい。このようなキャリアアグリゲーションにより、ＵＥ１００には、ライセンスドバンドの無線リソースに加えて、アンライセンスドバンドの無線リソースが提供されるため、スループットを向上させることができる。アンライセンスドバンドにおけるリソース割り当て情報等の下りリンク制御情報（ＤＣＩ）については、ｅＮＢ２００は、ライセンスドバンドを介してＵＥ１００に通知してもよいし、アンライセンスドバンドを介してＵＥ１００に通知してもよい。
【００４７】
（無線端末）
以下において、ＵＥ１００（無線端末）の構成について説明する。図６は、ＵＥ１００のブロック図である。図６に示すように、ＵＥ１００は、受信部１１０、送信部１２０、及び制御部１３０を備える。
【００４８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、割り当てバンドにおいて無線信号を受信する第１の受信機と、アンライセンスドバンドにおいて無線信号を受信する第２の受信機と、を含んでもよい。
【００４９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、割り当てバンドにおいて無線信号を送信する第１の送信機と、アンライセンスドバンドにおいて無線信号を送信する第２の送信機と、を含んでもよい。
【００５０】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の処理及び後述する各種の処理を実行する。
【００５１】
（基地局）
以下において、ｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００５２】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００５３】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００５４】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した各種の処理及び後述する各種の処理を実行する。
【００５５】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００５６】
（実施形態に係る動作環境）
図８は、実施形態に係る動作環境を示す図である。
【００５７】
図８に示すように、同一オペレータ＃１のｅＮＢ２００−１及びｅＮＢ２００−２と、他のオペレータ＃２のｅＮＢ２００−３とが設置されている。各ｅＮＢ２００（ｅＮＢ２００−１乃至ｅＮＢ２００−３）は、アンライセンスドバンドにおいて運用される。具体的には、各ｅＮＢ２００は、アンライセンスドバンドのセルを管理する。図８において、ｅＮＢ２００−１がアンライセンスドバンドのセル＃１を管理し、ｅＮＢ２００−２がアンライセンスドバンドのセル＃２を管理する一例を示している。一方、セル＃２の周辺には、他のオペレータ＃２のＵＥ１００−２及びｅＮＢ２００−３が位置する。
【００５８】
なお、各ｅＮＢ２００（ｅＮＢ２００−１乃至ｅＮＢ２００−３）は、アンライセンスドバンドのセルを管理するだけでなく、ライセンスドバンドのセルも管理していてもよい。
【００５９】
ｅＮＢ２００−１のセル＃１には、オペレータ＃１のＵＥ１００−１が位置する。ＵＥ１００−１は、セル＃１においてコネクティッドモード（ＲＲＣコネクティッドモード）である。換言すると、ＵＥ１００−１は、アンライセンスドバンドにおいて運用されるｅＮＢ２００−１に接続する。ＵＥ１００−１には、ＬＡＡが適用されてもよい。具体的には、ＵＥ１００−１は、ｅＮＢ２００−１の他のセル（ライセンスドバンド）をプライマリセル（ＰＣｅｌｌ）として設定し、ｅＮＢ２００−１のセル＃１をセカンダリセル（ＳＣｅｌｌ）として設定する。
【００６０】
アンライセンスドバンドにおいて、同一のオペレータ間では干渉を考慮したセル設計がなされていると考えられる。しかしながら、アンライセンスドバンドにおいて、異なるオペレータ間の干渉が発生し得る。図８において、アンライセンスドバンドにおいて、オペレータ＃１のＵＥ１００−１及びｅＮＢ２００−２が他のオペレータ＃２のＵＥ１００−２から干渉を受ける、すなわち、干渉信号を受信する一例を示している。但し、ｅＮＢ２００−１は、干渉源（ＵＥ１００−２）からの干渉信号を受信していない。よって、ｅＮＢ２００−１にとってＵＥ１００−２は隠れた干渉源端末（いわゆる、隠れ端末）である。或いは、ｅＮＢ２００−１は、干渉源（ＵＥ１００−２）からの干渉信号を受信し、干渉を検知してもよい。
【００６１】
アンライセンスドバンドにおいて、ＵＥ１００−１が他のオペレータ及び／又は他の通信システムから干渉の影響を受ける場合、ＵＥ１００−１がｅＮＢ２００−１から受信する無線信号の品質（すなわち、下りリンクの通信品質）が劣化する。また、アンライセンスドバンドにおいてはＬＢＴが要求されるため、ＵＥ１００−１が他のオペレータ及び／又は他の通信システムから干渉の影響を受ける場合、アンライセンスドバンドにおけるＵＥ１００−１の送信機会が制限される。
【００６２】
（実施形態に係る動作）
以下において、実施形態に係る動作について説明する。ここでは、図８に示す動作環境において、隠れ端末（ＵＥ１００−２）からの干渉を除去するための動作を説明する。図９は、実施形態に係る動作を示すシーケンス図である。図９において、ｅＮＢ２００間の通信は、例えばＸ２インターフェイス上で行われる。
【００６３】
図９に示すように、ステップＳ１０１において、ＵＥ１００−２は、アンライセンスドバンドを用いて無線信号をｅＮＢ２００−３に送信する。ＵＥ１００−１及びｅＮＢ２００−２は、ＵＥ１００−２が送信する無線信号をアンライセンスドバンドにおける干渉信号として受信する。
【００６４】
ステップＳ１０２において、ｅＮＢ２００−２は、干渉信号を検出する。例えば、ｅＮＢ２００−２は、ＬＢＴ（ＣＣＡ）の際に、受信信号強度（ＲＳＳＩ）に基づいて干渉信号を検出する。具体的には、ｅＮＢ２００は、干渉レベルとしてのＲＳＳＩが閾値よりも大きい状態が一定期間持続する場合、干渉信号を検出したと判断する。ｅＮＢ２００−２は、他のオペレータ又は他の通信システムからの干渉信号を検出することが好ましい。そのような干渉信号を検出するために、ＲＳＳＩの測定タイミングを工夫してもよい。例えば、ｅＮＢ２００−２は、自オペレータのＵＥ１００及び／又はｅＮＢ２００が送信を行っていないタイミングでＲＳＳＩ測定を行うことで、他のオペレータ又は他の通信システムからのＲＳＳＩをより正確に把握することができる。また、ｅＮＢ２００−２は、ＲＳＳＩの測定時において自セル内のＵＥ１００の送信を止めるようなギャップをＵＥ１００に設定してもよい。そのようなギャップは、定期的に設けられてもよい。
【００６５】
或いは、ｅＮＢ２００−２は、ＵＥ１００との通信中にＲＳＳＩを測定し、ＲＳＳＩに基づいて干渉信号を検出してもよい。例えば、ｅＮＢ２００−２は、自オペレータの他のｅＮＢ２００及び／又はＵＥ１００についてＲＳＲＰを測定し、ｅＮＢ２００−２が測定したＲＳＳＩからＲＳＲＰを減じて得た値を、他のオペレータからの干渉レベルとして算出する。そして、ｅＮＢ２００−２は、算出した干渉レベルが閾値よりも大きい状態が一定期間持続する場合、干渉信号を検出したと判断する。なお、ｅＮＢ２００−２は、自オペレータにおいて用いられる参照信号を識別可能であるため、自オペレータについてのＲＳＲＰ測定を適切に行うことができる。但し、ＲＳＳＩはリソースブロック単位での測定であるが、ＲＳＲＰはリソースエレメント単位での測定であるため、単位を揃えるための変換処理が必要である。
【００６６】
ステップＳ１０３において、ＵＥ１００−１は、干渉信号を検出する。ＵＥ１００−１における干渉信号の検出方法は、ｅＮＢ２００−２における干渉信号の検出方法と同様である。
【００６７】
ステップＳ１０４において、ＵＥ１００−１は、ステップＳ１０３で検出した干渉信号に関する干渉関連情報をｅＮＢ２００−１に送信する。ｅＮＢ２００−１は、ＵＥ１００−１から干渉関連情報を受信する。
【００６８】
ＬＡＡが適用される場合、ＵＥ１００−１は、プライマリセル（ライセンスドバンド）を用いて干渉関連情報をｅＮＢ２００−１に送信してもよい。これにより、ＬＢＴによりアンライセンスドバンドを使用できない場合でも、干渉関連情報をｅＮＢ２００−１に送信可能である。
【００６９】
ＵＥ１００−１は、干渉関連情報を測定報告に含めてｅＮＢ２００−１に送信してもよい。測定報告は、ＲＲＣシグナリングの一種である。ＵＥ１００−１は、ｅＮＢ２００−１からの測定設定（Ｍｅａｓｕｒｅｍｅｎｔ  Ｃｏｎｆｉｇ．）に基づいて、干渉信号の検出及び測定報告を行なってもよい。このような測定設定は、測定報告の送信トリガーとして干渉信号の検出を指定する情報を含んでもよい。
【００７０】
ステップＳ１０５において、ｅＮＢ２００−２は、ステップＳ１０２で検出した干渉信号に関する干渉関連情報をｅＮＢ２００−１に送信する。ｅＮＢ２００−１は、ＵＥ１００−１から干渉関連情報を受信したことに応じて、干渉関連情報の送信をｅＮＢ２００−２に要求してもよい。この場合、ｅＮＢ２００−２は、ｅＮＢ２００−１からの要求に応じて干渉関連情報をｅＮＢ２００−１に送信する。ｅＮＢ２００−１は、ｅＮＢ２００−２から干渉関連情報を受信する。
【００７１】
干渉関連情報は、干渉信号の検出タイミングを含む。干渉信号の検出タイミングは、無線フレーム番号、サブフレーム番号、シンボル番号等のパラメータにより表現される。或いは、干渉信号の検出タイミングは、干渉信号の検出時刻（例えば、何時何分何秒）により表現されてもよい。或いは、ＵＥ１００−１及びｅＮＢ２００−２が干渉信号の分析を行う場合、干渉関連情報は、干渉信号に適用されている信号パラメータ、干渉信号に含まれる情報のうち、少なくとも１つを含んでもよい。干渉信号に適用されている信号パラメータは、例えば、干渉信号に含まれる参照信号の信号系列、干渉信号の送信に用いられた時間・周波数リソース（リソースブロック）等である。干渉信号に含まれる情報は、干渉信号に含まれる送信元ＩＤ（ＵＥ識別情報）等である。
【００７２】
ステップＳ１０６において、ｅＮＢ２００−１は、ＵＥ１００−１及びｅＮＢ２００−２から得られる干渉関連情報に基づいて、ＵＥ１００−１に干渉を与える干渉源（ＵＥ１００−２）がｅＮＢ２００−２の近傍に位置すると判断する。例えば、ｅＮＢ２００−１は、ＵＥ１００−１からの干渉関連情報とｅＮＢ２００−２からの干渉関連情報とが一致する場合、ＵＥ１００−１に干渉を与える干渉源（ＵＥ１００−２）がｅＮＢ２００−２の近傍に位置すると判断する。このように、ｅＮＢ２００−１は、自オペレータ（オペレータ＃１）のｅＮＢ２００のうち、隠れ端末であるＵＥ１００−２の近傍に位置するｅＮＢ２００として、ｅＮＢ２００−２を特定する。
【００７３】
ステップＳ１０７において、ｅＮＢ２００−１は、ＵＥ１００−１に干渉を与える干渉源による干渉信号の送信を停止させるための所定信号の送信を要求する送信要求情報をｅＮＢ２００−２に送信する。ｅＮＢ２００−２は、送信要求情報を受信する。ここで、所定信号は、アンライセンスドバンドが使用中であると干渉源に判定させるための無線信号である。所定信号は、参照信号、制御信号、データのうち少なくとも１つであってもよい。
【００７４】
ステップＳ１０８において、ｅＮＢ２００−２は、送信要求情報の受信に応じて、アンライセンスドバンドを用いて所定信号を送信する。具体的には、ｅＮＢ２００−２は、送信要求情報を受信し、かつＬＢＴに成功した場合、所定信号の送信を開始する。ｅＮＢ２００−２は、所定信号を継続的に送信することが好ましい。ｅＮＢ２００−２は、所定信号の送信開始を示す情報をｅＮＢ２００−１に送信してもよい。当該情報は、所定信号の送信を開始した旨、又は所定信号の送信開始予定タイミングを含んでもよい。
【００７５】
ステップＳ１０９において、ＵＥ１００−２は、アンライセンスドバンドにおいてｅＮＢ２００−２からの所定信号を受信する。
【００７６】
なお、所定信号は、例えば、ユニキャストもしくはブロードキャストによって送信される特定の機器を対象とした信号でもよい。もしくは、所定信号は、ランダム系列から発生させた、単なる干渉信号でもよい。
【００７７】
ステップＳ１１０において、ＵＥ１００−２は、所定信号の受信に応じて、ＬＢＴの際にアンライセンスドバンドが使用中であると判定する。その結果、ＵＥ１００−２は、ＬＢＴに失敗し、無線信号（干渉信号）の送信を停止する。但し、ＵＥ１００−２は、既に一定時間以上停止していた場合、もしくはバッファに蓄積されたデータ量が閾値を超えた場合、所定信号に従わない制御を行ってもよい。
【００７８】
ステップＳ１１１において、ｅＮＢ２００−１及びＵＥ１００−１は、アンライセンスドバンドを用いて無線通信（下りリンク通信及び／又は上りリンク通信）を行う。ここで、ＵＥ１００−２による干渉が除去されているため、ｅＮＢ２００−１及びＵＥ１００−１は良好な無線通信を行うことができる。
【００７９】
ステップＳ１１２において、ｅＮＢ２００−１は、所定信号の送信停止を要求する停止要求情報をｅＮＢ２００−２に送信する。ｅＮＢ２００−１は、予め規定された一定の期間又は一定のデータ量だけ無線通信を行った後、ＵＥ１００−１との無線通信を停止するとともに、停止要求情報をｅＮＢ２００−２に送信してもよい。停止要求情報は、ＵＥ１００−１との無線通信を停止した旨、又はＵＥ１００−１との無線通信の停止予定タイミングを含んでもよい。
【００８０】
ステップＳ１１３において、ｅＮＢ２００−２は、停止要求情報の受信に応じて、所定信号の送信を停止する。但し、ｅＮＢ２００−２は、停止要求情報の受信以外のトリガーで所定信号の送信を停止してもよい。例えば、所定信号を継続的に送信可能な期間が予め規定されている場合、ｅＮＢ２００−２は、当該期間の経過をトリガーとして所定信号の送信を停止する。或いは、所定信号を継続的に送信すべき期間を指定する情報を送信要求情報に含めてもよい。この場合、ｅＮＢ２００−２は、送信要求情報により指定された期間の経過をトリガーとして所定信号の送信を停止する。
【００８１】
ステップＳ１１４において、ＵＥ１００−２は、アンライセンスドバンドにおいてｅＮＢ２００−２からの所定信号を受信しなくなったため、ＬＢＴの際にアンライセンスドバンドが空きであると判定する。その結果、ＵＥ１００−２は、ＬＢＴに成功し、無線信号（干渉信号）の送信を再開する。
【００８２】
（実施形態のまとめ）
ｅＮＢ２００−１は、ｅＮＢ２００−１に接続するＵＥ１００−１に干渉を与える干渉源（ＵＥ１００−２）による干渉信号の送信を停止させるための所定信号の送信を要求する送信要求情報をｅＮＢ２００−２に送信する。ｅＮＢ２００−２は、送信要求情報の受信に応じてアンライセンスドバンドを用いて所定信号を送信する。これにより、干渉源（ＵＥ１００−２）による干渉信号の送信を停止させることができるため、ｅＮＢ２００−１及びＵＥ１００−１がアンライセンスドバンドにおいて良好な無線通信を行うことができる。また、良好な無線通信が行われる結果、ｅＮＢ２００−１とＵＥ１００−１との間の無線通信が短時間で完了することが期待される。これにより、当該無線通信の完了後、ＵＥ１００−２がアンライセンスドバンドにおいてｅＮＢ２００−３と良好な無線通信を行うことが可能である。
【００８３】
［その他の実施形態］
上述した実施形態に係る動作（図９）において、ステップＳ１０２及びＳ１０５を省略してもよい。ｅＮＢ２００−１は、ＵＥ１００−１の測定報告等に基づいて、近傍ｅＮＢ２００−２を把握することが可能である。
【００８４】
さらに、上述した実施形態に係る動作（図９）において、ｅＮＢ２００−１自身が干渉を検出した場合、ステップＳ１０１〜Ｓ１０５を省略してもよい。この場合、ｅＮＢ２００−１は、ステップＳ１０１〜Ｓ１０５に基づくことなく送信要求情報をｅＮＢ２００−２に送信する（ステップＳ１０７）。
【００８５】
上述した実施形態において、干渉源が、ｅＮＢ２００−１のオペレータ＃１とは異なるオペレータ＃２の装置（ＵＥ１００−２）である一例を説明した。しかしながら、干渉源は、ｅＮＢ２００−１の通信システム（ＬＴＥシステム）とは異なる通信システム（例えば、ＷＬＡＮシステム）の装置であってもよい。
【００８６】
上述した実施形態において、移動通信システムとしてＬＴＥシステムを例示した。しかしながら、本発明はＬＴＥシステムに限定されない。ＬＴＥシステム以外のシステムに本発明を適用してもよい。
【００８７】
日本国特許出願第２０１５−１５９０４５号（２０１５年８月１１日出願）の全内容が、参照により本願明細書に組み込まれている。
【産業上の利用可能性】
【００８８】
本発明は、無線通信分野において有用である。
【図１】
2017026406.tif 000003
【図２】
2017026406.tif 000004
【図３】
2017026406.tif 000005
【図４】
2017026406.tif 000006
【図５】
2017026406.tif 000007
【図６】
2017026406.tif 000008
【図７】
2017026406.tif 000009
【図８】
2017026406.tif 000010
【図９】
2017026406.tif 000011
【国際調査報告】
2017026406.tif 000012
2017026406.tif 000013